(57)【要約】【課題】  本発明は、例えば会社内の各種配付物に適用して、印刷物により提供する情報において、情報提供対象者の全員に通知したい情報と、情報提供対象者の限られた一部にのみ通知したい情報とが混在する場合に、従来に比して印刷物の印刷、管理に関する処理を簡略化することができるようにする。【解決手段】  本発明は、印刷物上では内容を把握困難に、かつ光学的手法より印刷物を読み取って得られる画像データの処理により内容を把握可能に、特定領域に割り当てる情報を処理して印刷する。【選択図】        図１
2005271500.tif 000002
【特許請求の範囲】
【請求項１】
所望の情報の提供に供される印刷物であって、
前記印刷物の特定の領域に割り当てられる前記情報が、目視によっては内容を把握困難であって、光学的手法により読み取って得られる画像データの処理により内容を把握可能に記録され、
前記特定の領域以外の領域に割り当てられる前記情報が、目視により内容を把握可能に記録された
ことを特徴とする印刷物。
【請求項２】
前記画像データの処理が、所定の復号化キーを用いた暗号化解除の処理である
ことを特徴とする請求項１に記載の印刷物。
【請求項３】
前記特定の領域が、少なくとも複数の領域であり、
前記複数の領域に、前記情報の提供対象に応じて前記復号化キーが割り当てられた
ことを特徴とする請求項２に記載の印刷物。
【請求項４】
前記特定の領域を特定する位置情報と、前記復号化キーを特定する情報とが、前記画像データより検出可能に記録された
ことを特徴とする請求項２に記載の印刷物。
【請求項５】
所望の情報の提供に供される印刷物の印刷方法において、
前記印刷物の特定の領域に印刷される情報を暗号化する暗号化のステップと、
該暗号化した情報を前記特定の領域に割り当てて前記印刷物を印刷する印刷のステップとを有し、
前記暗号化のステップによる暗号化が、
前記印刷物上で、内容を把握困難であって、前記印刷物を光学的手法により読み取って得られる画像データの処理により内容を把握可能とする処理である
ことを特徴とする印刷方法。
【請求項６】
前記画像データの処理が、所定の復号化キーを用いた暗号化解除の処理である
ことを特徴とする請求項５に記載の印刷方法。
【請求項７】
前記特定の領域が、少なくとも複数の領域であり、
前記複数の領域に、前記情報の提供対象に応じて前記復号化キーが割り当てられた
ことを特徴とする請求項６に記載の印刷物。
【請求項８】
前記特定の領域を特定する位置情報と、前記復号化キーを特定する情報とを、前記画像データより検出可能に記録する
ことを特徴とする請求項５に記載の印刷方法。
【請求項９】
印刷物を光学的手法により読み取って画像データを取得する画像データ取得のステップと、
前記画像データの処理により、前記印刷物の特定の領域に、前記印刷物上では内容を把握することが困難に記録された情報を復号する復号のステップと、
該復号した情報を、前記特定の領域以外の領域の画像データによる情報と共にユーザーに提供する情報提供のステップとを有する
ことを特徴とする印刷物の閲覧方法。
【請求項１０】
前記画像データの処理が、復号化キーによる暗号化の解除の処理である
ことを特徴とする請求項９に記載の印刷物の閲覧方法。
【請求項１１】
前記画像データの処理により、前記特定の領域、前記復号化キーを特定する前記特定の領域に係る情報を取得し、
前記特定の領域に係る情報により、前記特定の領域の情報を復号する
ことを特徴とする請求項１０に記載の印刷物の閲覧方法。
【請求項１２】
演算処理手段に所定の処理手順を実行させることにより、所望の情報の提供に供される印刷物の印刷方法のプログラムにおいて、
前記処理手順が、
前記印刷物の特定の領域に印刷される情報を暗号化する暗号化のステップと、
該暗号化した情報を前記特定の領域に割り当てて前記印刷物を印刷する印刷のステップとを有し、
前記暗号化のステップによる暗号化が、
前記印刷物上で、内容を把握困難であって、前記印刷物を光学的手法により読み取って得られる画像データの処理により内容を把握可能とする処理である
ことを特徴とする印刷方法のプログラム。
【請求項１３】
演算処理手段に所定の処理手順を実行させることにより、印刷物により提供される情報をユーザーに提供する印刷物の閲覧方法のプログラムであって、
前記処理手順が、
前記印刷物を光学的手法により読み取って画像データを取得する画像データ取得のステップと、
前記画像データの処理により、前記印刷物の特定の領域に、前記印刷物上では内容を把握することが困難に記録された情報を復号する復号のステップと、
該復号した情報を、前記特定の領域以外の領域の画像データによる情報と共にユーザーに提供する情報提供のステップとを有する
ことを特徴とする印刷物の閲覧方法のプログラム。
【請求項１４】
演算処理手段に所定の処理手順を実行させることにより、所望の情報の提供に供される印刷物の印刷方法のプログラムを記録した記録媒体において、
前記処理手順が、
前記印刷物の特定の領域に印刷される情報を暗号化する暗号化のステップと、
該暗号化した情報を前記特定の領域に割り当てて前記印刷物を印刷する印刷のステップとを有し、
前記暗号化のステップによる暗号化が、
前記印刷物上で、内容を把握困難であって、前記印刷物を光学的手法により読み取って得られる画像データの処理により内容を把握可能とする処理である
ことを特徴とする印刷方法のプログラムを記録した記録媒体。
【請求項１５】
演算処理手段に所定の処理手順を実行させることにより、印刷物により提供される情報をユーザーに提供する印刷物の閲覧方法のプログラムを記録した記録媒体であって、
前記処理手順が、
前記印刷物を光学的手法により読み取って画像データを取得する画像データ取得のステップと、
前記画像データの処理により、前記印刷物の特定の領域に、前記印刷物上では内容を把握することが困難に記録された情報を復号する復号のステップと、
該復号した情報を、前記特定の領域以外の領域の画像データによる情報と共にユーザーに提供する情報提供のステップとを有する
ことを特徴とする印刷物の閲覧方法のプログラムを記録した記録媒体。
【発明の詳細な説明】
【技術分野】
【０００１】
本発明は、印刷物、印刷方法、印刷物の閲覧方法、印刷方法のプログラム、印刷物の閲覧方法のプログラム、印刷方法のプログラムを記録した記録媒体及び印刷物の閲覧方法のプログラムを記録した記録媒体に関し、例えば会社内の各種配付物に適用することができる。本発明は、印刷物上では内容を把握困難に、かつ光学的手法より印刷物を読み取って得られる画像データの処理により内容を把握可能に、特定領域に割り当てる情報を処理して印刷することにより、印刷物により提供する情報において、情報提供対象者の全員に通知したい情報と、情報提供対象者の限られた一部にのみ通知したい情報とが混在する場合に、従来に比して印刷物の印刷、管理等に関する処理を簡略化することができるようにする。
【背景技術】
【０００２】
従来、印刷物により情報を提供する場合、配付枚数に応じて、プリンタを用いて印刷し、さらには専門の印刷業者により印刷するようになされている。このような印刷物に関しては、印刷物の偽造を防止する方法として、電子すかしの技術により種々の情報を埋め込む方法が提案されるようになされており、例えば特開２００３−１４３３９１号公報には、この技術を利用して不正チケットを防止する方法が提案されるようになされている。
【０００３】
ところでこのようにして印刷物により提供する情報においては、情報提供対象者の全員に通知したい情報と、情報提供対象者の限られた一部にのみ通知したい情報とが混在する場合がある。具体的には、例えば特定部署を構成する構成員の住所録を配付する場合に、一部の構成員には、各構成員の家族構成等の個人情報を含めた住所録を配付したい場合である。このような場合、従来においては、情報提供対象者に応じて複数種類の印刷物を作成することが必要になり、これにより作業が煩雑になる問題があり、さらには印刷物の管理も煩雑になる。
【特許文献１】特開２００３−１４３３９１号公報
【発明の開示】
【発明が解決しようとする課題】
【０００４】
本発明は以上の点を考慮してなされたもので、印刷物により提供する情報において、情報提供対象者の全員に通知したい情報と、情報提供対象者の限られた一部にのみ通知したい情報とが混在する場合に、従来に比して印刷物の印刷、管理等に関する処理を簡略化することができる印刷物、印刷方法、印刷物の閲覧方法、印刷方法のプログラム、印刷物の閲覧方法のプログラム、印刷方法のプログラムを記録した記録媒体及び印刷物の閲覧方法のプログラムを記録した記録媒体を提案しようとするものである。
【課題を解決するための手段】
【０００５】
かかる課題を解決するため請求項１の発明においては、所望の情報の提供に供される印刷物に適用して、印刷物の特定の領域に割り当てられる情報が、目視によっては内容を把握困難であって、光学的手法により読み取って得られる画像データの処理により内容を把握可能に記録され、特定の領域以外の領域に割り当てられる情報が、目視により内容を把握可能に記録されてなるようにする。
【０００６】
また請求項５の発明においては、所望の情報の提供に供される印刷物の印刷方法に適用して、印刷物の特定の領域に印刷される情報を暗号化する暗号化のステップと、該暗号化した情報を特定の領域に割り当てて印刷物を印刷する印刷のステップとを有し、暗号化のステップによる暗号化が、印刷物上で、内容を把握困難であって、印刷物を光学的手法により読み取って得られる画像データの処理により内容を把握可能とする処理であるようにする。
【０００７】
また請求項９の発明においては、印刷物の閲覧方法に適用して、印刷物を光学的手法により読み取って画像データを取得する画像データ取得のステップと、画像データの処理により、印刷物の特定の領域に、印刷物上では内容を把握することが困難に記録された情報を復号する復号のステップと、該復号した情報を、特定の領域以外の領域の画像データによる情報と共にユーザーに提供する情報提供のステップとを有するようにする。
【０００８】
また請求項１２の発明においては、演算処理手段に所定の処理手順を実行させることにより、所望の情報の提供に供される印刷物の印刷方法のプログラムに適用して、処理手順が、印刷物の特定の領域に印刷される情報を暗号化する暗号化のステップと、該暗号化した情報を特定の領域に割り当てて印刷物を印刷する印刷のステップとを有し、暗号化のステップによる暗号化が、印刷物上で、内容を把握困難であって、印刷物を光学的手法により読み取って得られる画像データの処理により内容を把握可能とする処理であるようにする。
【０００９】
また請求項１３の発明においては、演算処理手段に所定の処理手順を実行させることにより、印刷物により提供される情報をユーザーに提供する印刷物の閲覧方法のプログラムに適用して、処理手順が、印刷物を光学的手法により読み取って画像データを取得する画像データ取得のステップと、画像データの処理により、印刷物の特定の領域に、印刷物上では内容を把握することが困難に記録された情報を復号する復号のステップと、該復号した情報を、特定の領域以外の領域の画像データによる情報と共にユーザーに提供する情報提供のステップとを有するようにする。
【００１０】
また請求項１４の発明においては、演算処理手段に所定の処理手順を実行させることにより、所望の情報の提供に供される印刷物の印刷方法のプログラムを記録した記録媒体に適用して、処理手順が、印刷物の特定の領域に印刷される情報を暗号化する暗号化のステップと、該暗号化した情報を特定の領域に割り当てて印刷物を印刷する印刷のステップとを有し、暗号化のステップによる暗号化が、印刷物上で、内容を把握困難であって、印刷物を光学的手法により読み取って得られる画像データの処理により内容を把握可能とする処理であるようにする。
【００１１】
また請求項１５の発明においては、演算処理手段に所定の処理手順を実行させることにより、印刷物により提供される情報をユーザーに提供する印刷物の閲覧方法のプログラムを記録した記録媒体に適用して、処理手順が、印刷物を光学的手法により読み取って画像データを取得する画像データ取得のステップと、画像データの処理により、印刷物の特定の領域に、印刷物上では内容を把握することが困難に記録された情報を復号する復号のステップと、該復号した情報を、特定の領域以外の領域の画像データによる情報と共にユーザーに提供する情報提供のステップとを有するようにする。
【００１２】
請求項１の構成により、所望の情報の提供に供される印刷物に適用して、印刷物の特定の領域に割り当てられる情報が、目視によっては内容を把握困難であって、光学的手法により読み取って得られる画像データの処理により内容を把握可能に記録され、特定の領域以外の領域に割り当てられる情報が、目視により内容を把握可能に記録されてなるようにすれば、この特定の領域の情報にあっては、特定の情報提供対象者に対してのみ閲覧可能に設定して、他の領域の情報と共に提供することができる。これにより印刷物により提供する情報において、情報提供対象者の全員に通知したい情報と、情報提供対象者の限られた一部にのみ通知したい情報とが混在する場合であっても、これらの情報を１種類の印刷物により提供することができ、これにより印刷物の印刷に係る各種の処理、配付、管理等を簡略化することができる。
【００１３】
これにより請求項５、請求項１２、請求項１４の構成によれば、印刷物により提供する情報において、情報提供対象者の全員に通知したい情報と、情報提供対象者の限られた一部にのみ通知したい情報とが混在する場合であっても、これらの情報を１種類の印刷物により提供することができ、これにより印刷物の印刷に係る各種の処理、配付、管理等を簡略化することができる印刷物の印刷方法、印刷物の印刷方法のプログラム、印刷物の印刷方法のプログラムを記録した記録媒体を提供することができる。
【００１４】
また請求項９の構成によれば、印刷物の閲覧方法に適用して、印刷物を光学的手法により読み取って画像データを取得する画像データ取得のステップと、画像データの処理により、印刷物の特定の領域に、印刷物上では内容を把握することが困難に記録された情報を復号する復号のステップと、該復号した情報を、特定の領域以外の領域の画像データによる情報と共にユーザーに提供する情報提供のステップとを有することにより、このように印刷物の特定の領域の情報が目視によっては内容を把握困難とされた印刷物について、この特定の領域に割り当てられている情報の内容を把握可能にして、他の領域の情報と共にユーザーに提供することができ、これにより１種類の印刷物により提供して、情報提供対象者の全員に通知したい情報と、情報提供対象者の限られた一部にのみ通知したい情報とを、それぞれ情報提供対象者に適切に通知することができる。これにより印刷物により提供する情報において、情報提供対象者の全員に通知したい情報と、情報提供対象者の限られた一部にのみ通知したい情報とが混在する場合に、これらの情報を１種類の印刷物により提供して、印刷物の印刷に係る各種の処理、配付、管理等を簡略化することができる。
【００１５】
これにより請求項１３、請求項１５の構成によれば、印刷物により提供する情報において、情報提供対象者の全員に通知したい情報と、情報提供対象者の限られた一部にのみ通知したい情報とが混在する場合に、従来に比して印刷物の印刷、管理に関する処理を簡略化することができる印刷物の閲覧方法のプログラム、印刷物の閲覧方法のプログラムを記録した記録媒体を提供することができる。
【発明の効果】
【００１６】
本発明によれば、印刷物により提供する情報において、情報提供対象者の全員に通知したい情報と、情報提供対象者の限られた一部にのみ通知したい情報とが混在する場合に、従来に比して印刷物の印刷、管理に関する処理を簡略化することができる。
【発明を実施するための最良の形態】
【００１７】
以下、適宜図面を参照しながら本発明の実施例を詳述する。
【実施例１】
【００１８】
（１）実施例の構成
図２は、本発明の実施例１に係る印刷物配付システムを示す略線図である。この印刷物配付システム１において、コンピュータ２は、印刷物の作成に供するコンピュータである。この印刷物配付システム１は、このコンピュータ２のワープロソフト等により配付に供する文書３を作成し、この文書３の特定領域ＡＲを暗号化キーＫ１により暗号化して印刷物５Ａ、５Ｂを印刷する。これにより印刷物配付システム１は、この印刷物５Ａ、５Ｂの特定の配付先で秘密にしておきたい情報の記載箇所（以下、秘密領域と呼ぶ）ＡＲについては、単なる目視によっては内容を把握困難に、また光学的手法より印刷物を読み取って得られる画像データの処理により内容を把握可能に、印刷物５Ａ、５Ｂを作成して印刷物５Ａ、５Ｂを配付する。
【００１９】
これに対してコンピュータ６は、秘密領域ＡＲに記載された情報の閲覧が許される特定部門に係るコンピュータである。この印刷物配付システム１では、このコンピュータ６において、印刷物５Ａをスキャナーで取り込んだ後、暗号化キーＫ１に対応する復号化キーＫ２により秘密領域ＡＲの暗号化を解除する。これによりこの印刷物配付システム１では、このコンピュータ６に係るディスプレイによる表示７により、この秘密領域ＡＲの記載についても、この特定の配付先では内容を把握できるようになされている。
【００２０】
これにより印刷物配付システム１では、印刷物５Ａ、５Ｂにより提供する情報において、情報提供対象者の全員に通知したい情報と、情報提供対象者の限られた一部にのみ通知したい情報とが混在する場合であっても、これらの情報提供対象者に共通の１種類の印刷物５Ａ、５Ｂを配付して、限られた一部にのみ通知したい情報をこれら一部以外には秘密にすることができ、これにより従来に比して印刷物の印刷、配付、管理に関する処理を簡略化することができるようになされている。
【００２１】
図３は、この配付元のコンピュータ２を示すブロック図である。このコンピュータ２は、リードオンリメモリ（ＲＯＭ）１１の記録に従ってランダムアクセスメモリ（ＲＡＭ）１２にワークエリアを確保してハードディスク装置（ＨＤＤ）１３に記録された処理プログラムを中央処理ユニット（ＣＰＵ）１４で実行することにより、液晶表示パネル等による表示部１６を介して各種のユーザーインターフェースを提供すると共に、マウス、キーボード等による操作部１７の操作を受け付け、これにより例えば図４に示すように、配付に供する文書３を作成する。
【００２２】
ここで図４は、社員リストの文書３を示すものであり、この文書３においては、最上段に文書のタイトル（社員リスト）が設けられ、順次、この社員リストに係る個人情報が記載される。またこの各個人情報にあっては、氏名、生年月日、住所、職歴評価、顔写真が割り当てられるようになされている。しかしてこのような個人情報のうち、職歴評価にあっては、特定の人物以外は秘密にすべき重要な個人情報と言える。また住所、顔写真にあっても、社外の第３者には秘密にすべき個人情報であると言える。
【００２３】
これによりこの実施例において、中央処理ユニット１４は、通常の文書を作成する場合と同様のオペレータの操作に応動した処理により、情報提供対象者の全員に通知したい情報と、情報提供対象者の限られた一部にのみ通知したい情報とが混在する場合であっても、これらの情報を同一に文書化するようになされている。
【００２４】
中央処理ユニット１４は、このようにして作成した文書３の配付物化が指示されると、図１の処理手順の実行により、印刷物５Ａ、５Ｂを作成する。なおこの図１の処理手順に係る処理プログラム、後述するコンピュータ６の処理に係る処理プログラムにおいては、インターネット等のネットワークを介したダウンロードにより、又は各種の記録媒体を介して提供される。なおこのような記録媒体としては、例えばＣＤ−ＲＯＭ、ＤＶＤ等の光ディスク、フロッピーディスク等の磁気ディスク、駆動機構と一体構成による着脱可能なハードディスク装置、メモリカード等、種々の記録媒体を広く適用することができる。
【００２５】
すなわち中央処理ユニット１４は、この処理手順を開始すると、ステップＳＰ１からステップＳＰ２に移り、ここで秘密領域ＡＲの指定を受け付けた後、続くステップＳＰ３において、ステップＳＰ２で入力を受け付けた秘密領域ＡＲの情報に関して、秘密にするクラスの入力を受け付ける。すなわち上述したように、職歴評価にあっては、社内の人間であっても特定の人物以外は秘密にすることが必要な情報であるのに対し、住所、顔写真にあっても、社内の人間には秘密する必要が無い相対的に重要度の低い情報であると言える。これにより中央処理ユニット１４は、このステップＳＰ３における処理により、このようなクラスの入力受け付けにより何れの範囲で秘密にすべきかの入力を受け付ける。
【００２６】
続いて中央処理ユニット１４は、ステップＳＰ４に移り、ここでステップＳＰ３で入力されたクラスにより暗号化キーＫ１を選択する。ここでこの実施例においては、各クラスの構成員にそれぞれ各クラスの復号化キーＫ２が割り当てられ、またコンピュータ２においては、この各クラスの復号化キーＫ２に対応する暗号化キーＫ１を記録して保持するようになされており、中央処理ユニット１４は、この記録より対応する暗号化キーＫ１を選択する。
【００２７】
続いて中央処理ユニット１４は、ステップＳＰ５に移り、このようにして選択した暗号化キーＫ１を用いて、ステップＳＰ２で選択された秘密領域ＡＲの情報を暗号化する。なおこの暗号化にあっては、例えばハッシュ関数を用いて、スキャナーにより印刷物５Ａ、５Ｂを読み取って、コンピュータ６で元の状態に復号可能に暗号化される。具体的に、秘密領域ＡＲの情報が文字列による情報の場合、例えばこの文字列によるコード列を暗号化して実行される。これに対して秘密領域ＡＲの情報が画像データによる情報の場合、ＣＰマスク等の処理により実行される。なおここでＣＰマスクは、画像処理の１つであり、例えば画像を所定の大きさの微小領域に区切り、所定のコードに基づいてこれら微小領域の配置をランダマイズさせると共に、各微小領域の色相を変化させるマスク処理である。
【００２８】
続いて中央処理ユニット１４は、ステップＳＰ６に移り、このようにして暗号化した情報の復号化に必要な情報を、メモリに保持したリストに記録する。具体的に、この実施例においては、図５に示すように、このようにして暗号化してなる情報が割り当てられているステップＳＰ２で入力された秘密領域ＡＲを特定する文書３上の座標、暗号化処理されたデータがテキストデータに係る情報か画像データに係る情報かを識別する種別の情報、暗号化を解除する復号化キーＫ２を特定するキーコードが各暗号化の処理毎に記録されて作成される。
【００２９】
続いて中央処理ユニット１４は、ステップＳＰ７に移り、所定のメニューを表示してユーザーによる操作を受け付けることにより、他に秘密領域ＡＲの入力を受け付けるか否か判断し、ここで肯定結果が得られると、ステップＳＰ７からステップＳＰ２に戻る。これにより中央処理ユニット１４は、ステップＳＰ２−ＳＰ３−ＳＰ４−ＳＰ５−ＳＰ６−ＳＰ７−ＳＰ２の処理手順を繰り返し、図４に示すように、秘密領域ＡＲ１〜ＡＲ３の設定を順次受け付けると共に、各秘密領域ＡＲ１〜ＡＲ３毎に暗号化の処理を実行する。
【００３０】
なおこのような文書３の作成においては、他のファイルよりオブジェクトをコピーして実行する場合もあることにより、このような秘密領域の設定、ランク付け、暗号化の処理においては、各オブジェクトの属性情報、元のファイルの重要度に応じて、自動的に実行するようにしてもよい。
【００３１】
これにより図４との対比により図６に示すように、文書３にあっては、各秘密領域ＡＲ１〜ＡＲ３が暗号化され、テキストの表示に係る秘密領域ＡＲ１、ＡＲ３にあっては、何ら意味を成さない文字列が表示されるのに対し、画像の表示に係る秘密領域ＡＲ２にあっては、元の画像を識別できないような画像が表示されることになる。またこの場合、図５に示すように、中央処理ユニット１４には、秘密領域ＡＲ１〜ＡＲ３に係る復号化のために必要な情報によるリストが作成されることになる。
【００３２】
しかしてこのようにして全ての秘密領域ＡＲ１〜ＡＲ３のについて暗号化の処理を完了すると、中央処理ユニット１４は、ステップＳＰ７からステップＳＰ８に移り、ステップＳＰ６で作成したリストを文書３に貼り付ける。ここで中央処理ユニット１４は、文書３の元々の表示に重なり合わない位置であって、かつプリンタ１９の印刷可能範囲であって、事前に設定された箇所にリストを貼り付ける。またこのとき中央処理ユニット１４は、この秘密領域ＡＲ１〜ＡＲ３に割り当てられている情報の重要度によっては、このリストの内容を示すコード列を特定の暗号化キーにより暗号化した後、文書３に貼り付ける。
【００３３】
このようにしてリストを貼り付けると、中央処理ユニット１４は、この文書３の印刷をプリンタ１９により所定部数だけ印刷した後、ステップＳＰ１０に移ってこの処理手順を終了する。
【００３４】
これに対して図７は、配付先のコンピュータ６を示すブロック図である。このコンピュータ６は、スキャナー３１が設けられている点、処理に供する処理プログラムが異なる点を除いて、配付元のコンピュータ２とほぼ同一に構成される。これによりこのコンピュータ６は、リードオンリメモリ（ＲＯＭ）２１、ランダムアクセスメモリ（ＲＡＭ）２２を使用してハードディスク装置（ＨＤＤ）２３に記録された処理プログラムを中央処理ユニット（ＣＰＵ）２４で実行し、表示部２６を介して各種のユーザーインターフェース等を提供すると共に、マウス、キーボード等による操作部２７の操作を受け付ける。またインターフェース（Ｉ／Ｆ）２８を介してスキャナー３１の動作を制御することにより、印刷物５Ａより画像データを取り込んで処理し、これによりこのコンピュータ６の配付先担当のクラスに応じて秘密領域の内容を把握可能に、この印刷物５Ａの内容を表示部２６で表示する。
【００３５】
ここで図８は、この印刷物５Ａの閲覧プログラムに係る中央処理ユニット２４の処理手順を示すフローチャートである。中央処理ユニット２４は、ユーザーにより印刷物５Ａの閲覧が指示されると、この処理手順を開始し、ステップＳＰ２１からステップＳＰ２２に移る。ここで中央処理ユニット２４は、スキャナー３１の動作を制御して印刷物５Ａの画像を取得し、この画像を表示部２６に表示する。
【００３６】
また中央処理ユニット２４は、続くステップＳＰ２３において、ＯＣＲ（Optical Character Reader）処理により、印刷物５Ａに文字により表示してなる情報を取得し、続くステップＳＰ２４において、このＯＣＲ処理で取得した情報よりリストの情報を取得する。またこのリストの情報により、秘密領域の１つに係る情報を取得する。なおこのリストの情報が暗号化されて記録されている場合には、対応するキーによりＯＣＲ結果の暗号化を解除した後、これらの処理を実行する。
【００３７】
続いて中央処理ユニット２４は、ステップＳＰ２５に移り、ステップＳＰ２４で取得した秘密領域の１つに係る情報について、この秘密領域に係る情報に設定された復号化キーＫ２を特定するコードにより、この秘密領域に係る復号化キーＫ２を保持しているか否か、すなわちこの秘密領域について、閲覧の権限を有しているか否か判断する。ここで肯定結果が得られると、中央処理ユニット２４は、ステップＳＰ２５からステップＳＰ２６に移り、対応する復号化キーＫ２によりこの秘密領域の暗号化を解除する。ここで中央処理ユニット２４は、秘密領域に係る情報に設定された種別により、暗号化の解除対象がテキストか否か判定し、テキストの場合には、この秘密領域に係る情報に設定された座標により、この秘密領域のＯＣＲ結果を取得し、このＯＣＲ結果による文字列を復号する。これに対してこの秘密領域が画像の場合、この秘密領域に係る情報に設定された座標に基づいて、スキャナー３１から読み込んだ画像より秘密領域の画像を抽出し、この抽出した画像の画像処理により復号化の処理を実行する。またこれらの処理により得られる復号結果を表示部２６に表示してなる対応箇所に、上書きにより表示する。
【００３８】
中央処理ユニット２４は、このようにして１つの秘密領域について処理を完了すると、ステップＳＰ２６からステップＳＰ２７に移るのに対し、ステップＳＰ２５で否定結果が得られると、直接、ステップＳＰ２７に移る。このステップＳＰ２７において、中央処理ユニット２４は、リストに記録された全ての秘密領域について処理を完了したか否か判断し、ここで否定結果が得られると、ステップＳＰ２４に戻り、次の秘密領域に処理を切り換える。また全ての秘密領域の処理を完了すると、ステップＳＰ２７からステップＳＰ２８に移り、この処理手順を終了する。
【００３９】
これによりコンピュータ６においては、文書３について全ての情報を閲覧可能な権限を有する場合にあっては、図４について上述したオリジナルの文書３を表示部２６により確認することができるのに対し、例えば秘密領域ＡＲ３についてのみ権限を有していない場合には、図９に示すように、この秘密領域ＡＲ３を除いて残り全ての部分を閲覧可能に文書３が表示部２６に表示されるようになされている。
【００４０】
（２）実施例の動作
以上の構成において、この印刷物配付システム１においては（図２）、配各部署への配付に供する文書３（図４）が配付物の配付元のコンピュータ２で作成され、この文書３中において、特定の領域である秘密領域ＡＲに割り当てられている情報が、印刷物５Ａ、５Ｂ上において目視によっては内容を把握困難であって、光学的手法により読み取って得られる画像データの処理により内容を把握可能に暗号化処理されて印刷に供される。またこの特定の領域以外の領域に割り当てられている情報については、何ら暗号化処理されることなく、印刷物５Ａ、５Ｂ上において、目視により内容を把握可能に印刷される（図４及び図６）。
【００４１】
これによりこの特定の領域の情報にあっては、特定の情報提供対象者に対してのみ閲覧可能に設定して、他の領域の情報と共に提供することができ、これらにより印刷物により提供する情報において、情報提供対象者の全員に通知したい情報と、情報提供対象者の限られた一部にのみ通知したい情報とが混在する場合であっても、これらの情報を１種類の印刷物５Ａ、５Ｂにより提供することができ、これにより印刷物５Ａ、５Ｂの印刷に係る各種の処理、配付、管理等を簡略化することができる。
【００４２】
すなわちこの印刷物配付システム１においては、この印刷物５Ａ、５Ｂが部署に配付され、この特定の領域に係る情報の閲覧権限を有する場合には（図７）、スキャナー３１によりこの印刷物５Ａを読み取って画像データを得、この画像データの処理により特定の領域ＡＲに記録された情報の暗号化が解除され、これによりこの領域ＡＲに割り当てた情報の内容を、他の領域に割り当てられた情報の内容と共に理解することができる。これに対して印刷物５Ａ、５Ｂのままの状態では、このような特定の領域ＡＲに記録された情報については、内容を把握することが困難となり、これによりこの領域ＡＲに記録された情報を秘密にすることができる。
【００４３】
このようにして文書３を処理するにつき、この印刷物配付システム１においては、各秘密領域ＡＲ毎に、秘密にするクラスに応じて、対応する暗号化キーにより各領域の情報が暗号化される。またこの暗号化を解除する復号化キーを特定するキーコードが、各秘密領域の座標を特定する情報、復号化時の処理を特定する情報と共に記録される。また印刷物５Ａの配付先では、このようにして記録されたキーコードにより対応する復号化キーが選択され、この復号化キーを用いた処理により秘密領域ＡＲに記録された情報の暗号化が解除される。
【００４４】
これによりこの実施例においては、このような復号化キーが割り当てられていない部署について、秘密領域ＡＲの情報を秘密にすることができる。また情報の内容に応じて、秘密にする範囲を種々に設定することができ、これによりそれまで配付先に応じて３種類以上作成していた配付物を１種類だけの作成、配付、管理で済ませることができ、これにより一段と印刷物に係る各種処理を簡略化することができる。
【００４５】
（３）実施例の効果
以上の構成によれば、印刷物上では内容を把握困難に、かつ光学的手法より印刷物を読み取って得られる画像データの処理により内容を把握可能に、特定領域に割り当てる情報を処理して印刷することにより、印刷物により提供する情報において、情報提供対象者の全員に通知したい情報と、情報提供対象者の限られた一部にのみ通知したい情報とが混在する場合に、従来に比して印刷物の印刷、管理等に関する処理を簡略化することができる。
【００４６】
またこのような画像データの処理が、所定の復号化キーを用いた暗号化解除の処理であることにより、この復号化キーの設定により、種々の配付先に係る印刷物をまとめて１つの印刷物により提供することができる。
【００４７】
すなわちこの特定の領域を少なくとも複数設けるようにして、各領域に、それぞれ情報の提供対象に応じて復号化キーを割り当てることにより、種々の配付先に係る印刷物をまとめて１つの印刷物により提供することができる。
【００４８】
またこの特定領域を特定する位置情報と、復号化キーを特定する情報とを、併せて印刷物に記録することにより、またこのようにして記録した情報により、この特定の情報の内容を把握可能とすることにより、印刷部の配付先に係る一連の処理を簡易かつ確実なものとすることができる。
【実施例２】
【００４９】
なお上述の実施例においては、社内に配付する配付物について、本発明を適用する場合について述べたが、本発明はこれに限らず、例えば街頭で配付するパンフレット等にも広く適用することができる。
【産業上の利用可能性】
【００５０】
本発明は、例えば会社内の各種配付物に適用することができる。
【図面の簡単な説明】
【００５１】
【図１】本発明の実施例１に係る配付元のコンピュータにおける処理手順を示すフローチャートである。
【図２】本発明の実施例１に係る印刷物配付システムを示す略線図である。
【図３】図２の印刷物配付システムにおける配付元のコンピュータを示すブロック図である。
【図４】図３のコンピュータにより作成される文書を示す平面図である。
【図５】秘密領域のリストの説明に供する図表である。
【図６】図３のコンピュータにより作成される配付物を示す平面図である。
【図７】図２の印刷物配付システムにおける配付先のコンピュータを示すブロック図である。
【図８】図７のコンピュータの処理手順を示すフローチャートである。
【図９】図８のコンピュータによる処理結果を示す平面図である。
【符号の説明】
【００５２】
１……印刷物配付システム、２、６……コンピュータ、３……文書、５Ａ、５Ｂ……配付物、１９……プリンタ、３１……スキャナー
【図１】
2005271500.tif 000003
【図２】
2005271500.tif 000004
【図３】
2005271500.tif 000005
【図４】
2005271500.tif 000006
【図５】
2005271500.tif 000007
【図６】
2005271500.tif 000008
【図７】
2005271500.tif 000009
【図８】
2005271500.tif 000010
【図９】
2005271500.tif 000011